(57)【要約】【課題】部材点数が少なく、かつ迅速な設置の可能な区画用装置を提供すること。【解決手段】一端部が尖状突起１２ａとされた一対のポール１２−１、１２−２と、該一対のポール１２−１、１２−２の各他端部の近傍に、それぞれ回動自在に取り付けられた２本の腕部１８、１８と、を有し、２本の腕部１８、１８の先端部同士を回動自在に連結部２０により連結した。また、腕部１８は２段伸縮機構を有し、ポール１２には、ポール１２に沿って上下動可能なハンマー部１４と、ハンマー部１４の衝撃を受け衝撃力を尖状突起１２ａに伝えるハンマー受け部１２ｃを設けた。【選択図】図２
2011140770.tif 000002
【特許請求の範囲】
【請求項１】
一端部が尖状突起とされた一対のポールと、
該一対のポールの各他端部の近傍に、それぞれ基端部が回動自在に取り付けられた２本の腕部と、を有し、
前記２本の腕部の先端部同士が回動自在に連結されたことを特徴とする区画用装置。
【請求項２】
前記ポールが遊挿され、該ポールに沿って往復移動可能なハンマー部と、
前記ポールの前記尖状突起の近傍に設けられ、前記ハンマー部の運動エネルギーを受け該運動エネルギーを前記尖状突起に伝達するハンマー受け部と、を備えたことを特徴とする請求項１に記載の区画用装置。
【請求項３】
前記腕部は、伸縮機構を有することを特徴とする請求項１又は２に記載の区画用装置。
【発明の詳細な説明】
【技術分野】
【０００１】
本発明は、区画用装置、特に、作業区域又は危険箇所等を表示するため設置される区画用装置に関する。
【背景技術】
【０００２】
作業又は安全のために、作業区域又は危険箇所をロープ等で囲み、他の場所から区画することが行われる。例えば、発電所、変電所等においては、特定の機器への通電を止め点検・修理等するため、作業中であることを喚起し事故等が発生しないように当該機器をロープ等で区画することが行われる。また、危険箇所への立ち入り等を禁止する場合には、ポール等を立てポール間にロープ等を張り巡らし、立ち入り禁止区域であることを示すことが行われる。
【０００３】
区画する方法は、ポールや支柱を立て、先端に目立つロープ等を結び付けて区画する方法が一般的である。ポールや支柱は、立てる間隔が狭いと区画している区域又は箇所が目立って安全であるが、使用するポールや支柱の本数が増え、搬送が厄介となる。また、立てる間隔を空けると、使用する本数は減るが、区画している区域又は箇所が目立たず、そのために注意を引くために別の工夫が必要となる。例えば、支柱間にロープを張り、そのロープに旗を取り付けること等が挙げられる。なお、区画するために、特許文献１、２に開示されているスタンド又はポールを用いることも可能である。
【０００４】
特許文献１には、スタンドポールを軽量な合成樹脂製とする一方、その自立安定性を確保して、転倒防止を行い得るようにした合成樹脂製スタンドポールが開示されている。このため、スタンドポールのベースプレートを射出成型し、中空ポールを押出成型した軽量部材によるものとし、ベースプレートに筒状受座を凹陥状に設けて、スチール製のウエイトを下端に嵌入接着した中空パイプをこの筒状受座に嵌入接着してこれらを一体に固定している。
【０００５】
特許文献２には、支柱が挿通される箱状支持体と、ウエイトを覆うカバー体をそれぞれ別体で形成し、この両部材を長尺な止着ロッドで一体化した支柱スタンドが開示されている。この支柱スタンドは、両部材を一体化しているため、外観が向上し、かつ転倒した場合でもウエイトであるブロック体が箱状支持体とカバー体から離脱しない。
【先行技術文献】
【特許文献】
【０００６】
【特許文献１】特許第２６７１２００号公報
【特許文献２】特開２０００−１０４８９２号公報
【発明の概要】
【発明が解決しようとする課題】
【０００７】
上記の特許文献１のスタンドポール及び特許文献２の支柱スタンドは、構成部材点数が多く、また重量物が存在する。したがって、区画作業を行う場合、現地までスタンド又はポールを搬入することが容易ではない。また、部材点数が多いので、ポール又はスタンドの組み立てに時間を要する。更に、ポール又はスタンド間にロープ等を架け渡す必要がある。したがって、区画作業に多くの時間と労力を要していた。
【０００８】
本発明は、上記課題に鑑みてなされたものであり、その目的は、部材点数が少なく、かつ迅速な設置の可能な区画用装置を提供することにある。
【課題を解決するための手段】
【０００９】
上記目的を達成するため、請求項１に記載の区画用装置は、
一端部が尖状突起とされた一対のポールと、該一対のポールの各他端部の近傍に、それぞれ基端部が回動自在に取り付けられた２本の腕部と、を有し、前記２本の腕部の先端部同士が回動自在に連結されたことを特徴とする。
【００１０】
この構成によれば、一対のポールが２本の腕部で繋がれ、各腕部はそれぞれポールに対して回動自在であり、かつ互いの連結部も回動自在であるので、持ち運び持には、２本のポールを束ねるようにして腕部を折り畳み、区画用装置をコンパクトに纏めることができる。また、区画用装置は、２本のポールとこの２本のポールを連結する腕部を有するので、腕部はロープの代用とすることができる。したがって、区画作業を簡単に行うことが可能であり、作業区域又は危険箇所等の表示が腕部により明確に行われることとなる。
【００１１】
請求項２に記載の区画用装置は、請求項１に記載の区画用装置において、
前記ポールが遊挿され、該ポールに沿って往復移動可能なハンマー部と、前記ポールの前記尖状突起の近傍に設けられ、前記ハンマー部の運動エネルギーを受け該運動エネルギーを前記尖状突起に伝達するハンマー受け部と、を備えたことを特徴とする。
【００１２】
この構成によれば、棒状芯材を地面に突き刺すときに、別途ハンマー等を必要とせず、棒状心材の上端部を押さえながら、ハンマー部を上下動させハンマー受け部にぶつければ良い。したがって、別途ハンマー等を用意する必要がなく使い勝手が良い。
【００１３】
請求項３に記載の区画用装置は、請求項１又は２に記載の区画用装置において、
前記腕部は、伸縮機構を有することを特徴とする。したがって、設置スペースに応じてポールの間隔を調整することができ、使い勝手が良い。
【発明の効果】
【００１４】
本発明の区画用装置によれば、持ち運ぶときにコンパクトに収納することが可能であり、使用するときには２本の腕部を伸ばし、ポールに設けられた尖端部を地面に突き刺せば良く、２本の本体部の間にロープ等を張る必要がない。したがって、持ち運びが容易で使い勝手が良く、区画作業を容易かつ安全に行うことが可能となる。
【図面の簡単な説明】
【００１５】
【図１】本発明の区画用装置に係り、同図（ａ）は収納直前の折り畳む途中の概略正面図、同図（ｂ）は収納時の概略正面図、同図（ｃ）は同図（ｂ）の概略側面図である。
【図２】本発明の区画用装置に係り、同図（ａ）は使用時の概略正面図、同図（ｂ）は同図（ａ）のＡ−Ａ断面図である。
【発明を実施するための形態】
【００１６】
以下、本発明の実施の形態について図面を参照して説明する。図１は、本発明の区画用装置に係り、同図（ａ）は収納直前の折り畳む途中の概略正面図、同図（ｂ）は収納時の概略正面図、同図（ｃ）は同図（ｂ）の概略側面図である。図２は、本発明の区画用装置の実施の形態に係り、同図（ａ）は使用時の概略斜視図、同図（ｂ）は同図（ａ）のＡ−Ａ断面図である。
【００１７】
図１（ａ）に示されているように、本発明の区画用装置１０は、一対のポール１２−１、１２−２を基本構造として有しており、各ポール１２は、先端部が尖状突起１２ａとされ、地面に突き刺すことが容易に形成されている。また、後に詳述するが、各ポール１２にはそれぞれ腕部１８及びポール１２を地面に打ち込むためのハンマー部１４が、主たる構成部材として設けられている。
【００１８】
ポール１２は、中空又は中実の円筒形状であり、区画表示のためのポール長として適切な長さを有している。地面に打ち込まれる側の一端部は、先端に向かって径が細くなる尖状突起１２ａとして形成されている。また、ポール１２の他端部は、ポール１２を地面に打ち込む際に、ポール１２を保持固定するためのポール保持部１２ｂが形成されている。このポール保持部１２ｂは、直径が掌程度の薄い厚みの円板形状になっており、ポール１２を支え易い形状を有している。なお、ポール１２の材質は、区画用装置１０全体を軽量とするためにアルミ合金等の軽量な部材を用いるのが好適である。
【００１９】
次に、ハンマー部１４は、ポール１２を遊挿することができるように形成され、すなわち、図２（ｂ）から理解されるように、ハンマー部１４は中空の円筒体で形成され、その中空部である上下に貫通する穴部１４ａが、ポール１２を遊びのある状態で挿入可能とした構成になっている。したがって、ハンマー部１４の穴部１４ａの直径は、ポール１２の直径よりも僅かに大きくなっている。この構成により、ハンマー部１４はポール１２を中心軸として上下に往復移動することが可能である。
【００２０】
そして、尖状突起１２ａの基部近傍には、ポール１２を拡径させた円板状のハンマー受け部１２ｃが形成されている。ハンマー受け部１２ｃは、ハンマー部１４を上下動させたときの、ハンマー部１４の持つ運動エネルギーを受けて、尖状突起１２ａを地面に突き刺すように作用する。本実施の形態では、ハンマー受け部１２ｃの直径は、ハンマー部１４の直径と略同一に形成されている。この構成により、ポール１２を地面に突き刺すときに、別途ハンマー等を必要とせず、前述のようにポール１２の上端部のポール保持部１２ｂを押さえながら、ハンマー部１４を上下動させ、ハンマー受け部１２ｃにハンマー部１４を衝突させれば良い。
【００２１】
なお、ハンマー受け部１２ｃはハンマー部１４の直径と略同一の円形の拡径部として構成したが、ハンマー部１４の運動エネルギーを受けて効率良く尖状突起１２ａに伝えられれば良いので、この構成に拘らない。所々に軽量のために切り欠きを形成しても良い。また、例えば、ハンマー部１４が所定の位置よりも更に上部に移動できないように、ポール１２にストッパリング２８等を形成することも好適である。したがって、ハンマー部１４はこのストッパリング２８に当接してそれより上部には移動できない。
【００２２】
次に、腕部１８は、図１（ｃ）から理解されるように、ポール保持部１２ｂの下部に取付部材１３を突出して設け、この取付部材１３に連結部１６によって回動自在に軸着されている。また、腕部１８は２段伸縮機構を有しており、第１腕部１８ａと第２腕部１８ｂとからなり、第１腕部１８ａに第２腕部１８ｂが伸長方向に移動収納可能に構成されている。また、ポール１２−１、１２−２の第２腕部１８ｂの先端同士は、連結部２０により回動可能に連結されている。この構成により、後述するように、区画用装置１０を収納する時には第１腕部１８ａとポール１２とを略平行にすることができ、区画用装置１０を設置し、ポール１２−１、１２−２を最大に離反させた場合、第１腕部１２ａとポール１２とを略直角にすることも可能である。
【００２３】
図１（ｂ）に示すように、２本のポール１２−１、１２−２を束ねるようにすると、それらの腕部１８の第２腕部１８ｂの連結部２０及び第１腕部１８ａと各ポール１２の連結部１６が回動可能であることから、持ち運ぶときにコンパクトにして収納可能な区画用装置１０となる。また、使用するときには、２本の腕部１８を伸ばし、ポール１２に設けられた尖状突起１２ａを、ハンマー部１４を利用して地面に突き刺せば良く、２本のポール１２−１、１２−２の間にロープ等を張る必要がない。また、腕部１８は２段伸縮機構を有するので、設置スペースに応じてポール１２の間隔を調整することができる。
【００２４】
なお、ハンマー部１４には、一対のポール１２−１、１２−２を束ねた状態で、相互が離れないように、開放防止フック部２６ａとフック止め金２６ｂがそれぞれ設けられている。また、持ち運び易いように、ハンマー部１４には把持部１４ｂが形成されている。この構成により区画用装置１０を持ち運ぶ際に、ポール１２同士が離隔することがなく、把持部１４ｂを用いて運ぶことができため、区画用装置１０の現場への搬入が容易である。
【００２５】
（実施例）
実際にアルミ合金（Ａｌ−Ｍｎ３０００番台）を用いて本発明の区画用装置を作製した。ポール１２の直径は２５ｍｍ、ハンマー部１４の直径は５５ｍｍである。１台の区画用装置１０の総重量は数ｋｇである。使用方法は、ポール１２の設置場所が確定したら、その間隔に腕部１８の長さを、第１腕部１８ａと第２腕部１８ｂを伸長させて合わせる。そして、ポール１２を垂直に立て、ポール保持部１２ｂを保持しながらハンマー部１４を上下に往復運動させてハンマー受け部１２ｃに衝突させ、ポール１２の尖状突起１２ａを地面に打ち込む。本実施例では、使用時にポール１２が容易に転倒しないように、中心に尖状突起１２ａが貫通される穴部を有する約直径１００ｍｍ程度の転倒防止キャップ２４をハンマー受け部１２ｃの下部であって地面との間に挿入設置している。
【００２６】
図２は実際に区画用装置１０を使用している状態を示している。本実施例では、ポール１２間の距離は約４．５ｍ、ポール１２の地面からの高さは約１．３ｍであり、その間を腕部１８が繋いでいる。この構成においては、ポール１２間をロープ等で繋ぐ必要がなく、区画作業を迅速に完了することができた。また、設置した後、作業区域又は危険箇所等を明確に表示することができた。なお、前述したように、ポール１２の間隔は設置スペースに応じて調整することが可能である。
【００２７】
本発明の区画用装置１０によれば、持ち運ぶときにコンパクトに収納することが可能であり、使用するときには２本の腕部１８を伸ばし、ポール１２に設けられた尖状突起１２ａを、ハンマー部１４を用いて地面に突き刺せば良く、また２本のポール１２の間にロープ等を張る必要がない。したがって、本発明の区画用装置１０は、持ち運びが容易で使い勝手が良く、区画作業を容易かつ安全に行うことが可能である。
【００２８】
なお、本発明は、上述の実施の形態に限定されるものではなく、本発明の趣旨を逸脱しない範囲で種々の変更が可能である。例えば、ポール１２は中空又は中実の円筒形状のものを用いたが、断面が矩形状であっても良い。また腕部１８は、２段伸縮機構に限られず、更に多くの段の伸縮機構とすることも可能である。
【符号の説明】
【００２９】
１０  区画用装置
１２  ポール
１２ａ  尖状突起
１２ｂ  ポール保持部
１２ｃ  ハンマー受け部
１３  取付部材
１４  ハンマー部
１４ａ  把持部
１６、２０  連結部
１８  腕部
１８ａ  第１腕部
１８ｂ  第２腕部
２４  転倒防止キャップ
２６ａ  開放防止フック部
２６ｂ  フック止め金
２８  ストッパリング
【図１】
2011140770.tif 000003
【図２】
2011140770.tif 000004